(57)【特許請求の範囲】
【請求項１】
長尺方向に架設されるメッセンジャーワイヤと、
前記メッセンジャーワイヤに支持され、内部に配線・配管材が配設される保護管と、
長尺方向に沿って少なくとも部分的に、前記保護管と前記メッセンジャーワイヤとを一体的に結合する結合手段と、を備え、
前記保護管外面の長尺方向の一部又は全体には、前記メッセンジャーワイヤに対する前記保護管の添設をガイドするためのガイド部が形成され、
前記保護管は、軸方向外面に山部と谷部とが交互に形成された波付管であり、前記ガイド部は、前記山部の周方向の一部から突出する一対の突起間に形成されていることを特徴とする保護管吊下げ装置。
【請求項２】
長尺方向に架設されるメッセンジャーワイヤと、
前記メッセンジャーワイヤに支持され、内部に配線・配管材が配設される保護管と、
長尺方向に沿って少なくとも部分的に、前記保護管と前記メッセンジャーワイヤとを一体的に結合する結合手段と、を備え、
前記保護管外面の長尺方向の一部又は全体には、前記メッセンジャーワイヤに対する前記保護管の添設をガイドするためのガイド部が形成され、
前記保護管は、軸方向外面に山部と谷部とが交互に形成された波付管であり、
前記ガイド部は、前記保護管の管壁外面に長尺方向に沿って直線状に形成され、且つ、前記メッセンジャーワイヤを前記保護管の周方向にずれることなく収容する所定幅の収容溝からなり、
前記収容溝は、前記山部に凹設された切り欠きによって形成されていることを特徴とする保護管吊下げ装置。
【請求項３】
長尺方向に架設されるメッセンジャーワイヤと、
前記メッセンジャーワイヤに支持され、内部に配線・配管材が配設される保護管と、
長尺方向に沿って少なくとも部分的に、前記保護管と前記メッセンジャーワイヤとを一体的に結合する結合手段と、を備え、
前記保護管外面の長尺方向の一部又は全体には、前記メッセンジャーワイヤに対する前記保護管の添設をガイドするためのガイド部が形成され、
前記結合手段は、前記メッセンジャーワイヤと前記保護管を束ねるように前記保護管周方向に巻回される１又は複数のバンド体からなり、前記バンド体が前記保護管外面及び前記メッセンジャーワイヤ外面の両方に当接するように構成され、
前記メッセンジャーワイヤは、鋼製の軸部と、該軸部を被覆する軟質合成樹脂製の被覆部とからなり、前記バンド体は、前記被覆部を押し潰すようにして、前記メッセンジャーワイヤと前記保護管とを固縛することを特徴とする保護管吊下げ装置。
【請求項４】
長尺方向に架設されるメッセンジャーワイヤと、
前記メッセンジャーワイヤに支持され、内部に配線・配管材が配設される保護管と、
長尺方向に沿って少なくとも部分的に、前記保護管と前記メッセンジャーワイヤとを一体的に結合する結合手段と、を備え、
前記保護管外面の長尺方向の一部又は全体には、前記メッセンジャーワイヤに対する前記保護管の添設をガイドするためのガイド部が形成され、
前記メッセンジャーワイヤは、鋼製の軸部と、該軸部を被覆する軟質合成樹脂製の被覆部とからなり、
前記保護管は、屈曲可能な可撓性を有する合成樹脂製の長尺体であり、
前記結合手段は、前記メッセンジャーワイヤが前記ガイド部により前記保護管に添設された状態で前記被覆部と前記保護管とを接着することを特徴とする保護管吊下げ装置。
【請求項５】
長尺方向に架設されるメッセンジャーワイヤと、
前記メッセンジャーワイヤに支持され、内部に配線・配管材が配設される保護管と、
長尺方向に沿って少なくとも部分的に、前記保護管と前記メッセンジャーワイヤとを一体的に結合する結合手段と、を備え、
前記保護管外面の長尺方向の一部又は全体には、前記メッセンジャーワイヤに対する前記保護管の添設をガイドするためのガイド部が形成され、
前記メッセンジャーワイヤは、鋼製の軸部と、該軸部を被覆する軟質合成樹脂製の被覆部とからなり、
前記保護管は、屈曲可能な可撓性を有する合成樹脂製の長尺体であり、
前記ガイド部は、長尺方向に連続的又は断続的に形成された突条であり、
前記結合手段は、前記突条と前記メッセンジャーワイヤとが当接した位置で、前記被覆部と前記保護管とを接着することを特徴とする保護管吊下げ装置。
【請求項６】
前記メッセンジャーワイヤは、前記被覆部を切り裂いて前記軸部を前記被覆部から引き出すための引出口を形成可能とすべく、前記被覆部の周方向の一部が前記保護管に接着されることを特徴とする請求項４又は５に記載の保護管吊下げ装置。
【請求項７】
前記保護管は、軸方向外面に山部と谷部とが交互に形成された波付管であり、前記メッセンジャーワイヤは、前記谷部外面と前記被覆部との間に隙間を形成するように、前記山部外面に接着されることを特徴とする請求項４から６のいずれか一項に記載の保護管吊下げ装置。
【請求項８】
長尺方向に架設されるメッセンジャーワイヤに一体的に結合及び支持され、内部に配線・配管材が配設される、可撓性を有する合成樹脂製の保護管であって、
前記メッセンジャーワイヤに対する前記保護管の添設をガイドするためのガイド部が外面に形成され、
前記保護管は、軸方向外面に山部と谷部とが交互に形成された波付管であり、前記ガイド部は、前記メッセンジャーワイヤを収容すべく長尺方向に沿って直線状に形成された所定幅の収容溝であり、前記収容溝は、前記保護管から外部に突設された一対の突起、又は、前記山部に凹設された切り欠きによって定められることを特徴とする保護管。
【発明の詳細な説明】
【技術分野】
【０００１】
本発明は、保護管を空中で吊り下げて支持するための保護管吊下げ装置に関する。さらに、本発明は、上記保護管吊下げ装置に使用される保護管、及び、保護管を空中で吊り下げて支持及び配管する保護管の吊下げ配管方法に関する。
【背景技術】
【０００２】
従来、高圧架空線又は低圧配電線に加えて電柱に対して通信電線等の配線材を架設すべく、該配線材を収容する保護管を空中で吊り下げ支持するために種々の装置が用いられている。
【０００３】
例えば、特許文献１は、電柱間に通信電線を収容する自己支持型管（保護管吊下げ装置）を開示している。自己支持型管（Ａ）は、保護管としてのコルゲートパイプ（１０）にメッセンジャーワイヤ（１１）を添設して、両者を合成樹脂性外被（１２）で一体に被覆してなる。そして、該自己支持型管（Ａ）では、コルゲートパイプ（１０）と外被（１２）の間に磁気シールド層（１３）を形成した。すなわち、外被（１２）がコルゲートパイプ（１０）及びメッセンジャーワイヤ（１１）を周囲を完全に被覆するとともに、外被（１２）の首部によって両者が連結されている。該自己支持型管（Ａ）は、サプライスタンド（２０）からコルゲートパイプ（１０）を導き出し、その走行経路において、メッセンジャーワイヤ（１１）、テープ（１３）、リード線（１４）を添設したのち、押出機（２１）によって外被（１２）を被覆し、キャプスタン（２２）を経て巻取ドラム（２３）に巻回して製造される。このような自己支持型管（Ａ）が、空中で緊張した状態で張架されることにより、通信電線が電柱に対して配線される。なお、（）内に特許文献１の符号を示した。
【先行技術文献】
【特許文献】
【０００４】
【特許文献１】実開平３−７４１２２号公報
【発明の概要】
【発明が解決しようとする課題】
【０００５】
特許文献１のような従来の保護管吊下げ装置では、メッセンジャーワイヤの長尺方向全体に亘って、一体的に成形された外被でコルゲートパイプ（保護管）とメッセンジャーワイヤの両方を被覆しているので、その製造工程が面倒となることが問題であった。特には、特許文献１では、自己支持型管（保護管吊下げ装置）の製造工程において、メッセンジャーワイヤにコルゲートパイプを添設するように両者を所定位置に支持及び固定した上で押出機を用いて長尺の外被を成形処理することが必須である。すなわち、このような一体成形型の保護管吊下げ装置では、製造設備の規模を比較的に大きくせざるを得ず、尚且つ、製造工程を複雑化せざるを得ないことが問題であった。
【０００６】
本発明は、上記課題を解決するためになされたものであり、その目的は、別体として製造された保護管とメッセンジャーワイヤとを添設して両者を容易に一体化することが可能な保護管吊下げ装置、保護管及び保護管の吊下げ配管方法を提供することにある。
【課題を解決するための手段】
【０００７】
請求項１に記載の保護管吊下げ装置は、長尺方向に架設されるメッセンジャーワイヤと、
メッセンジャーワイヤに支持され、内部に配線・配管材が配設される保護管と、
長尺方向に沿って少なくとも部分的に、保護管とメッセンジャーワイヤとを一体的に結合する結合手段と、を備え、
保護管外面の長尺方向の一部又は全体には、メッセンジャーワイヤに対する保護管の添設をガイドするためのガイド部が形成され、
保護管は、軸方向外面に山部と谷部とが交互に形成された波付管であり、ガイド部は、山部の周方向の一部から突出する一対の突起間に形成されていることを特徴とする。
【０００８】
請求項２に記載の保護管吊下げ装置は、長尺方向に架設されるメッセンジャーワイヤと、
メッセンジャーワイヤに支持され、内部に配線・配管材が配設される保護管と、
長尺方向に沿って少なくとも部分的に、保護管とメッセンジャーワイヤとを一体的に結合する結合手段と、を備え、
保護管外面の長尺方向の一部又は全体には、メッセンジャーワイヤに対する保護管の添設をガイドするためのガイド部が形成され、
前記保護管は、軸方向外面に山部と谷部とが交互に形成された波付管であり、
ガイド部は、保護管の管壁外面に長尺方向に沿って直線状に形成され、且つ、メッセンジャーワイヤを保護管の周方向にずれることなく収容する所定幅の収容溝からなり、
収容溝は、山部に凹設された切り欠きによって形成されていることを特徴とする。
【０００９】
請求項３に記載の保護管吊下げ装置は、長尺方向に架設されるメッセンジャーワイヤと、
メッセンジャーワイヤに支持され、内部に配線・配管材が配設される保護管と、
長尺方向に沿って少なくとも部分的に、保護管とメッセンジャーワイヤとを一体的に結合する結合手段と、を備え、
保護管外面の長尺方向の一部又は全体には、メッセンジャーワイヤに対する保護管の添設をガイドするためのガイド部が形成され、
結合手段は、メッセンジャーワイヤと保護管を束ねるように保護管周方向に巻回される１又は複数のバンド体からなり、バンド体が保護管外面及びメッセンジャーワイヤ外面の両方に当接するように構成され、
メッセンジャーワイヤは、鋼製の軸部と、該軸部を被覆する軟質合成樹脂製の被覆部とからなり、バンド体は、被覆部を押し潰すようにして、メッセンジャーワイヤと保護管とを固縛することを特徴とする。
【００１０】
請求項４に記載の保護管吊下げ装置は、長尺方向に架設されるメッセンジャーワイヤと、
メッセンジャーワイヤに支持され、内部に配線・配管材が配設される保護管と、
長尺方向に沿って少なくとも部分的に、保護管とメッセンジャーワイヤとを一体的に結合する結合手段と、を備え、
保護管外面の長尺方向の一部又は全体には、メッセンジャーワイヤに対する保護管の添設をガイドするためのガイド部が形成され、
メッセンジャーワイヤは、鋼製の軸部と、該軸部を被覆する軟質合成樹脂製の被覆部とからなり、
保護管は、屈曲可能な可撓性を有する合成樹脂製の長尺体であり、
結合手段は、メッセンジャーワイヤがガイド部により保護管に添設された状態で被覆部と保護管とを接着することを特徴とする。
【００１１】
請求項５に記載の保護管吊下げ装置は、長尺方向に架設されるメッセンジャーワイヤと、
メッセンジャーワイヤに支持され、内部に配線・配管材が配設される保護管と、
長尺方向に沿って少なくとも部分的に、保護管とメッセンジャーワイヤとを一体的に結合する結合手段と、を備え、
保護管外面の長尺方向の一部又は全体には、メッセンジャーワイヤに対する保護管の添設をガイドするためのガイド部が形成され、
メッセンジャーワイヤは、鋼製の軸部と、該軸部を被覆する軟質合成樹脂製の被覆部とからなり、
保護管は、屈曲可能な可撓性を有する合成樹脂製の長尺体であり、
ガイド部は、長尺方向に連続的又は断続的に形成された突条であり、
結合手段は、突条とメッセンジャーワイヤとが当接した位置で、被覆部と保護管とを接着することを特徴とする。
【００１２】
【００１３】
【００１４】
請求項６に記載の保護管吊下げ装置は、請求項４又は５に記載の保護管吊下げ装置において、メッセンジャーワイヤは、被覆部を切り裂いて軸部を被覆部から引き出すための引出口を形成可能とすべく、被覆部の周方向の一部が保護管に接着されることを特徴とする。
【００１５】
請求項７に記載の保護管吊下げ装置は、請求項４から６のいずれか一項に記載の保護管吊下げ装置において、保護管は、軸方向外面に山部と谷部とが交互に形成された波付管であり、メッセンジャーワイヤは、谷部外面と被覆部との間に隙間を形成するように、山部外面に接着されることを特徴とする。
【００１６】
請求項８に記載の保護管は、長尺方向に架設されるメッセンジャーワイヤに一体的に結合及び支持され、内部に配線・配管材が配設される、可撓性を有する合成樹脂製の保護管であって、
メッセンジャーワイヤに対する保護管の添設をガイドするためのガイド部が外面に形成され、
保護管は、軸方向外面に山部と谷部とが交互に形成された波付管であり、ガイド部は、メッセンジャーワイヤを収容すべく長尺方向に沿って直線状に形成された所定幅の収容溝であり、収容溝は、保護管から外部に突設された一対の突起、又は、山部に凹設された切り欠きによって定められることを特徴とする。
【００１７】
【００１８】
本発明の一実施形態の方法は、内部に配線・配管材が配設される、可撓性を有する合成樹脂製の保護管の吊下げ配管方法であって、
長尺のメッセンジャーワイヤ、保護管、及び、バンド体を別体として準備する工程と、
メッセンジャーワイヤを緊張させて長尺方向に架設する工程と、
架設したメッセンジャーワイヤに保護管を添設した状態で、保護管とメッセンジャーワイヤとを束ねるようにバンド体を巻回し、保護管をメッセンジャーワイヤに一体的に固縛する工程と、を含むことを特徴とする。
【００１９】
本発明の一実施形態の方法は、内部に配線・配管材が配設される、可撓性を有する合成樹脂製の保護管の吊下げ配管方法であって、
長尺のメッセンジャーワイヤ、保護管、及び、バンド体を別体として準備する工程と、
メッセンジャーワイヤに保護管を添設した状態で、保護管とメッセンジャーワイヤとを束ねるようにバンド体を巻回し、保護管をメッセンジャーワイヤに一体的に固縛する工程と、
保護管と一体化したメッセンジャーワイヤを緊張させて長尺方向に架設する工程と、を含むことを特徴とする。
【発明の効果】
【００２０】
本発明の一実施形態の保護管吊下げ装置によれば、保護管外面にガイド部が設けられていることにより、メッセンジャーワイヤへの保護管の長尺方向に沿った添設が案内される。これにより、両者を互いに添設した状態に容易に移行可能であり、且つ、添設状態を維持することが容易となる。さらに、メッセンジャーワイヤに保護管が添設された状態で、結合手段によって、メッセンジャーワイヤと保護管とを一体的に結合することが可能である。すなわち、保護管及びメッセンジャーワイヤをそれぞれ別体として製造し、結合手段によって両者を簡単に組み付けすることが可能である。したがって、本発明の保護管吊下げ装置は、別体として製造された保護管とメッセンジャーワイヤとを簡単に添設して両者を容易に一体化することが可能である。
【００２１】
本発明の一実施形態の保護管吊下げ装置によれば、上記発明の効果に加えて、ガイド部が所定幅の収容溝からなることにより、メッセンジャーワイヤを保護管の周方向にずれることなく収容し、保護管をメッセンジャーワイヤの長尺方向に沿うように規制する。これにより、簡易な構造で添設状態への移行及び添設状態の維持がより一層容易となる。
【００２２】
本発明の一実施形態の保護管吊下げ装置によれば、上記発明の効果に加えて、ガイド部が波付管の山部の周方向の一部から突出する一対の突起間によって定められた収容溝である。これにより、保護管の内径を狭めることなく、容易にガイド部を形成することが可能である。
【００２３】
本発明の一実施形態の保護管吊下げ装置によれば、上記発明の効果に加えて、巻回されたバンド体が、保護管外面及びメッセンジャーワイヤ外面の両方に当接するように構成されている。これにより、ガイド部で添設された保護管及びメッセンジャーワイヤをバンド体によって強固に固縛することができる。また、別体であるバンド体により、長尺方向の結合が必要な部分を選択して、メッセンジャーワイヤに保護管を一体的に組み付けることが可能である。さらに、バンド体を用いることにより、保護管とメッセンジャーワイヤとを予めバンド体で一体化した状態で張架すること、及び、予め張架したメッセンジャーワイヤに保護管をバンド体で組み付けることの両方の工程が選択可能となる。そして、バンド体による結合位置を適宜選択することにより、張架されたメッセンジャーワイヤから保護管の一部を分離することも容易となる。
【００２４】
本発明の一実施形態の保護管吊下げ装置によれば、上記発明の効果に加えて、バンド体がメッセンジャーワイヤの被覆部を押し潰すように外面に食い込むことにより、バンド体が保護管及びメッセンジャーワイヤの長尺方向にずれることが効果的に抑えられる。
【００２５】
本発明の一実施形態の保護管吊下げ装置によれば、上記発明の効果に加えて、結合手段がメッセンジャーワイヤの被覆部と保護管外面とを接着することにより、別体として製造した保護管及びメッセンジャーワイヤを簡単に結合することができる。また、長尺方向の結合が必要な部分を接着箇所に選択して、メッセンジャーワイヤに保護管を一体的に組み付けることが可能である。さらに、接着による結合位置を適宜選択することにより、張架されたメッセンジャーワイヤから保護管の一部を分離することも容易となる。
【００２６】
本発明の一実施形態の保護管吊下げ装置によれば、上記発明の効果に加えて、ガイド部としての突条にメッセンジャーワイヤが当接した位置で、接着によって被覆部と保護管とを確実に結合することが可能である。また、突条の位置に合わせて接着箇所を定めることで、メッセンジャーワイヤ及び保護管を一体的に組み付けることが容易となる。さらに、接着による結合位置を突条の形成位置から適宜選択することにより、張架されたメッセンジャーワイヤから保護管の一部を分離することも容易となる。
【００２７】
本発明の一実施形態の保護管吊下げ装置によれば、上記発明の効果に加えて、保護管及びメッセンジャーワイヤが接着された箇所においても、被覆部に切り裂き形成された引出口を介して被覆部と軸部とを分離し、その結果、メッセンジャーワイヤから保護管の一部を容易に分離することができる。
【００２８】
本発明の一実施形態の保護管吊下げ装置によれば、上記発明の効果に加えて、メッセンジャーワイヤが波付管の山部外面に接着されていることにより、谷部外面と被覆部との間に隙間が形成され、結果として、（保護管又はメッセンジャーワイヤ単体と比べて）保護管吊下げ装置全体の可撓性の低下を抑えることができる。
【００２９】
本発明の一実施形態の保護管によれば、保護管外面にガイド部が設けられていることにより、メッセンジャーワイヤへの保護管の添設がガイドされる。これにより、両者を互いに添設した状態に容易に移行可能であり、且つ、添設状態を維持することが容易となる。したがって、本発明の保護管は、メッセンジャーワイヤに簡単に添設して両者を容易に一体化することが可能であり、その製造工程を改善するものである。
【００３０】
本発明の一実施形態の保護管によれば、上記発明の効果に加えて、ガイド部が所定幅の収容溝からなることにより、メッセンジャーワイヤを保護管の周方向にずれることなく収容し、保護管がメッセンジャーワイヤの長尺方向に沿うように規制される。これにより、簡易な構造で添設状態への移行及び添設状態の維持がより一層容易となる。
【００３１】
本発明の一実施形態の保護管の吊下げ配管方法によれば、保護管及びメッセンジャーワイヤをそれぞれ別体として製造し、バンド体によって両者を簡単に組み付けすることが可能である。そして、該バンド体により、長尺方向の結合が必要な部分を選択して、メッセンジャーワイヤに保護管を一体的に組み付けることが可能である。さらに、本発明の方法では、バンド体を用いて、予め張架したメッセンジャーワイヤに保護管をバンド体で組み付けることを特徴とする。これにより、施工者は、予め設置してあるメッセンジャーワイヤに対して、事後的に保護管を吊下げ配管することが可能である。そして、バンド体による結合位置を適宜選択することにより、張架されたメッセンジャーワイヤから保護管の一部を分離することも容易となる。したがって、本発明の保護管の吊下げ配管方法は、別体として製造された保護管とメッセンジャーワイヤとを簡単に添設して両者を容易に一体化することが可能である。
【００３２】
本発明の一実施形態の保護管の吊下げ配管方法によれば、保護管及びメッセンジャーワイヤをそれぞれ別体として製造し、バンド体によって両者を簡単に組み付けすることが可能である。そして、該バンド体により、長尺方向の結合が必要な部分を選択して、メッセンジャーワイヤに保護管を一体的に組み付けることが可能である。さらに、本発明の方法では、予めバンド体を用いて保護管と一体化したメッセンジャーワイヤを架設することを特徴とする。これにより、施工者は、現場でメッセンジャーワイヤを架設するだけで、保護管を吊下げ配管することが可能であり、結果として作業効率が向上する。そして、バンド体による結合位置を適宜選択することにより、張架されたメッセンジャーワイヤから保護管の一部を分離することも容易となる。したがって、本発明の保護管の吊下げ配管方法は、別体として製造された保護管とメッセンジャーワイヤとを簡単に添設して両者を容易に一体化することが可能である。
【図面の簡単な説明】
【００３３】
【図１】本発明の第１実施形態の保護管吊下げ装置の斜視図。
【図２】図１の保護管吊下げ装置の（ａ）正面図及び（ｂ）側面図。
【図３】図２の保護管吊下げ装置の（ａ）Ａ−Ａ断面図及び（ｂ）Ｂ−Ｂ断面図。
【図４】図１の保護管吊下げ装置の保護管の斜視図。
【図５】図１の保護管吊下げ装置において、保護管を屈曲させて配設された形態を示す模式図。
【図６】図１の保護管吊下げ装置の分解斜視図。
【図７】本発明の第２実施形態の保護管吊下げ装置の斜視図。
【図８】図７の保護管吊下げ装置の（ａ）正面図及び（ｂ）側面図。
【図９】図８の保護管吊下げ装置の（ａ）Ｃ−Ｃ断面図及び（ｂ）Ｄ−Ｄ断面図。
【図１０】図７の保護管吊下げ装置の保護管の斜視図。
【図１１】本発明の第３実施形態の保護管吊下げ装置の斜視図。
【図１２】図１１の保護管吊下げ装置の（ａ）正面図及び（ｂ）側面図。
【図１３】図１２の保護管吊下げ装置の（ａ）Ｅ−Ｅ断面図及び（ｂ）Ｆ−Ｆ断面図。
【図１４】図１１の保護管吊下げ装置において、保護管を屈曲させて配設された形態を示す模式図。
【図１５】本発明の第４実施形態の保護管吊下げ装置の斜視図。
【図１６】図１５の保護管吊下げ装置の（ａ）正面図及び（ｂ）側面図。
【図１７】図１６の保護管吊下げ装置の（ａ）Ｇ−Ｇ断面図及び（ｂ）Ｈ−Ｈ断面図。
【図１８】本発明の変形例の保護管を示す斜視図。
【図１９】本発明の変形例の保護管を示す斜視図。
【図２０】本発明の変形例の保護管を示す斜視図。
【発明を実施するための形態】
【００３４】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００３５】
［第１実施形態］
図１乃至図６を参照して、本発明の一実施形態である第１実施形態の保護管吊下げ装置１００を説明する。
【００３６】
本実施形態の保護管吊下げ装置１００は、１又は複数の電柱や構造物に対して高所に設置され、例えば、通信電線等の配線材を空中で吊下げ配線するものである。図１は、本実施形態の保護管吊下げ装置１００の斜視図である。図２（ａ）、（ｂ）は、保護管吊下げ装置１００の正面図及び側面図である。図３は、保護管吊下げ装置１００のＡ−Ａ断面図及びＢ−Ｂ断面図である。
【００３７】
図１及び図２に示すように、保護管吊下げ装置１００は、長尺方向に架設されるメッセンジャーワイヤ１１０と、該メッセンジャーワイヤ１１０に支持され、内部に配線・配管材（図示せず）が配設される保護管１２０と、該保護管１２０とメッセンジャーワイヤ１１０とを長尺方向に沿わせて一体的に結合（又は連結）する結合手段としてのバンド体１３０と、を備えてなる。そして、保護管１２０に形成されたガイド部（収容溝１２４）によってメッセンジャーワイヤ１１０に保護管１２０が直線状に添設されている。以下、本実施形態の保護管吊下げ装置１００の各構成部材を詳細に説明する。
【００３８】
メッセンジャーワイヤ１１０は、長尺方向に直線状に張設される長尺体である。図１に示すように、メッセンジャーワイヤ１１０は、芯材として鋼製の軸部１１１と、該軸部１１１を被覆する軟質合成樹脂製の被覆部１１２とからなる。軸部１１１は、複数の鋼線が束ねて構成されて十分な強度を有している。被覆部１１２は、バンド体１３０が食い込み可能な厚みを有している。メッセンジャーワイヤ１１０は、例えば、電柱（図示せず）に両端が固定されて空中で張架可能である。あるいは、メッセンジャーワイヤ１１０の一端が電柱に固定され、他端が建造物等の他の構造物に固定されることにより、空中で張設される。該メッセンジャーワイヤ１１０は、電柱等の構造物の間に架設な長さを有しているが、その長さは任意に定められる。また、メッセンジャーワイヤ１１０は、設置に際して十分な強度な発揮し得る径で構成されるが、その径は任意に定められる。
【００３９】
保護管１２０は、長尺方向に延びる可撓性の合成樹脂製の波付管である。すなわち、保護管１２０は、巻回又は屈曲自在な柔軟性を有している。図４は、該保護管１２０の斜視図である。図４に示すとおり、保護管１２０は、所定厚の管壁１２１を有し、該管壁１２１には山部１２２及び谷部１２３が交互に長尺方向に連続している。なお、保護管１２０の長さ及び径は、内部に配設する配線・配管材の径又は長さに応じて、任意に定められる。また、山部１２２外面と谷部１２３外面との距離（即ち、山部１２２の高さ）や、山部１２２外面及び谷部１２３外面の長尺方向の幅も任意に定めることが可能であり、本発明の保護管は、本実施形態の波付管の形状・寸法に限定されない。
【００４０】
また、管壁１２１の外面には、ガイド部（収容溝１２４）が形成されている。本実施形態では、ガイド部は、保護管１２０の長尺方向に沿って直線状に延在し、保護管１２０外面の長尺方向全体に亘っている。ガイド部は、管壁１２１を内外に貫通することなく保護管１２０外面に凹設され、メッセンジャーワイヤ１１０を保護管１２０の周方向にずれることなく収容する所定幅の収容溝１２４からなる。より具体的には、長尺方向に連続する山部１２２には、周方向の一部が凹むように半円状の切り欠き１２４ａが形成され、長尺方向（直線状）に連続する複数の切り欠き１２４ａによって収容溝１２４が定められている。つまり、ガイド部は、保護管１２０外面から突出することなく、半円弧状の凹曲面として入れ子状に形成されている。この半円状の収容溝１２４の開口（又は径）は、メッセンジャーワイヤ１１０の径と同じか、それよりも僅かに大きく形成されることが好ましい。さらに、収容溝１２４の深さは、山部１２２の高さよりも小さいことが好ましい。これにより、谷部１２３内面側には凹みが形成されず、保護管１２０の容積が減少することがない。また、収容溝１２４の深さは、収容されたメッセンジャーワイヤ１１０が山部１２１外面から突出するように、メッセンジャーワイヤ１１０の径よりも小さく定められることが好ましい。後述するとおり、一体結合時にバンド体１３０が山部１２２外面とメッセンジャーワイヤ１１０外面に当接可能であるからである。
【００４１】
バンド体１３０は、メッセンジャーワイヤ１１０及び保護管１２０を共に包囲可能な長さを有する所定幅の帯状体である。本実施形態では、バンド体１３０は、金属の薄片からなり、屋外での使用における強度、耐久性、耐候性等に優れている。図１及び図６に示すように、バンド体１３０は、帯状のバンド部１３１と、該バンド部１３１の両端を締結する締結部１３２を備えてなる。該バンド部１３１は、適度な弾性又は塑性を有し、保護管１２０外面及びメッセンジャーワイヤ１１０外面に堅く巻回されることにより、両者の外面に沿って変形可能である。本実施形態では、保護管１２０の長さに応じて、所定間隔で設置されるように複数のバンド体１３０が用いられる。なお、本発明のバンド体は、実施形態の構成に限定されることなく、任意に選択可能である。例えば、バンド体は、ロック機構を備える結束バンド等であってもよい。
【００４２】
上述したとおり、メッセンジャーワイヤ１１０、保護管１２０及びバンド体１３０は別体であり、独立して製造されるものである。
【００４３】
以上の説明を踏まえ、保護管吊下げ装置１００の構成をより詳細に説明する。本実施形態では、保護管吊下げ装置１００は、電柱に対して高所に設置されて配線・配管材を空中で吊下げ配線するものであるので、メッセンジャーワイヤ１１０の両端が電柱（図示せず）などの構造物に固定され、空中に架設される。メッセンジャーワイヤ１１０は、緊張状態で張設されることが好ましい。しかしながら、メッセンジャーワイヤ１１０は、ある程度弛緩した状態で架設されてもよい。
【００４４】
本実施形態の保護管吊下げ装置１００では、張設されたメッセンジャーワイヤ１１０によって支持された状態で、配線・配管材（図示せず）を内部に収容及び保護して配設するように、保護管１２０がメッセンジャーワイヤ１１０に対して、その長尺方向に沿って添設されている。このとき、保護管１２０に凹設されたガイド部である収容溝１２４にメッセンジャーワイヤ１１０が収容されている。図３に示すように、収容溝１２４は、断面視略半円形状であり、メッセンジャーワイヤ１１０の断面の約半分が収容溝１２４内に配置されている。そして、メッセンジャーワイヤ１１０及び保護管１２０がガイド部（収容溝１２４）を介して互いに当接した状態で長尺方向に延びている。すなわち、ガイド部によって、メッセンジャーワイヤ１１０に対して保護管１２０が直線状に案内及び規制されている。図３（ａ）、（ｂ）に示すように、メッセンジャーワイヤ１１０の一部が保護管１２０の管壁１２１内にめり込むように互いに位置しているため、両者が十分に近接している。これにより、屋外に配設した後、保護管１２０が風圧の影響を受けてメッセンジャーワイヤ１１０に対して揺動することが抑えられる。さらに、図３（ｂ）によれば、収容溝１２４の深さが山部１２２の高さよりも小さいので、添設状態で谷部１２３外面とメッセンジャーワイヤ１１０外面との間に隙間が存在する。
【００４５】
そして、互いに添設された状態のメッセンジャーワイヤ１１０及び保護管１２０が環状のバンド体１３０によって周方向に巻回されて固縛されている。バンド部１３１がメッセンジャーワイヤ１１０及び保護管１２０外周を完全に包囲し、締結部１３２によって堅く締結されている。図３（ａ）に示すように、バンド部１３１内面が保護管１２０の山部１２２外面及びメッセンジャーワイヤ１１０外面の両方に当接するように、バンド体１３０が両外面に沿うように弾性又は塑性変形している。換言すれば、メッセンジャーワイヤ１１０外面が収容溝１２４から径方向外方に突出し、バンド体１３０が保護管１２０外面及びメッセンジャーワイヤ１１０外面の両方に当接可能であるように、メッセンジャーワイヤ１１０の径に対してガイド部としての収容溝１２４の深さや形状が設定されている。これにより、メッセンジャーワイヤ１１０が保護管１２０の周方向にずれることなく収容溝１２４に部分的に収容された状態で、メッセンジャーワイヤ１１０と保護管１２０が強固に結合される。さらには、メッセンジャーワイヤ１１０の該軸部１１１を被覆する軟質合成樹脂製の被覆部１１２を押し潰すようにして、バンド体１３０がメッセンジャーワイヤ１１０と保護管１２０とを固縛している。つまり、バンド体１３０が巻回された位置で被覆部１１２が押し潰されて、メッセンジャーワイヤ１１０の長尺方向の一部が径方向内側に変形する。この変形部分と非変形部分の間の段差により、バンド体１３０が保護管１２０及びメッセンジャーワイヤ１１０の長尺方向にずれることが効果的に抑えられる。
【００４６】
なお、図１では、１つのバンド体１３０のみが描写されているが、長尺方向に沿った任意の位置に複数のバンド体１３０が設置され得る。そして、バンド体１３０による結合位置を適宜選択することにより、張架されたメッセンジャーワイヤ１１０から保護管１２０の一部を分離することも容易となる。例えば、図５に示すように、所定間隔で２つのバンド体１３０で中央側の保護管１２０をメッセンジャーワイヤ１１０に結合し、保護管１２０の両端を自由端とする。そして、保護管１２０をガイド部の収容溝１２４から離脱させるように屈曲させることにより、保護管１２０をメッセンジャーワイヤ１１０から離れて自由に配設することも可能となる。なお、メッセンジャーワイヤ１１０と保護管１２０との相対的な長さ関係は任意に定められる。つまり、メッセンジャーワイヤ１１０及び保護管１２０の長さが同じであってもよく、あるいは、メッセンジャーワイヤ１１０及び保護管１２０のいずれか一方が他方よりも長くてもよい。メッセンジャーワイヤ１１０よりも保護管１２０が長い場合、図５に示したように、保護管１２０が屈曲配管させることが好ましい。さらに、図示しないが、他の張設されたメッセンジャーワイヤ１１０に屈曲した保護管１３０を添設することにより、保護管１３０を空中で屈折させて配管可能である。
【００４７】
次に、図６を参照して、保護管吊下げ装置１００を設置して、可撓性を有する合成樹脂製の保護管１２０を吊下げ配管する方法について説明する。まず、それぞれ別体として製造されたメッセンジャーワイヤ１１０、保護管１２０及び１又は複数のバンド体１３０を準備する。メッセンジャーワイヤ１１０の両端を電柱などの構造体に固定し、緊張状態で空中に架設する。そして、図６に示すように、保護管１２０のガイド部の収容溝１２４内にメッセンジャーワイヤ１１０を収容するように、長尺方向に沿って保護管１２０をメッセンジャーワイヤ１１０に添設する。保護管１２０が直線状に案内されるようにメッセンジャーワイヤ１１０が収容溝１２４に収まり、そして、メッセンジャーワイヤ１１０及び保護管１２０の周方向の相対移動が規制されるため、添設状態への移行及び添設状態の維持が容易である。次いで、長尺方向における結合部位を１又は複数箇所選択し、ガイド部によって保護管１２０をメッセンジャーワイヤ１１０に添設した状態で、保護管１２０とメッセンジャーワイヤ１１０とを束ねるように１又は複数のバンド体１３０をメッセンジャーワイヤ１１０の長尺方向に間隔をあけて巻回し、保護管１２０をメッセンジャーワイヤ１１０に一体的に固縛する。より詳細には、バンド部１３１でメッセンジャーワイヤ１１０及び保護管１２０の周囲を包囲し、メッセンジャーワイヤ１１０の被覆部１１２を押し潰すまでバンド部１３１を締め付け、バンド部１３１両端を締結部１３２によってロックする。こうして、保護管１２０がメッセンジャーワイヤ１１０によって空中に一体的に吊り下げ支持され、空中に配線・配管材の配設が可能となる。
【００４８】
ここで説明した方法は、一例にすぎず、当業者であれば、各工程の順序を入れ替え、又は、状況に応じて不要な工程を省略又は変更することも可能である。例えば、メッセンジャーワイヤ１１０に保護管１２０を予め固縛した後に、メッセンジャーワイヤ１１０を構造物に張架して、保護管を空中に吊下げ支持してもよい。つまり、施工者は、保護管１２０とメッセンジャーワイヤ１１０とを予めバンド体１３０で一体化した状態で張架すること（つまり、製造・出荷時に一体組立）、及び、予め張架したメッセンジャーワイヤ１１０に保護管１２０をバンド体１３０で組み付けること（つまり、現場での一体組立）の両方の工程を選択可能である。また、配線・配管材は、予め保護管１２０に収容されていてもよく、あるいは、保護管吊下げ装置１００設置後に保護管１２０に挿入されていもよい。
【００４９】
以下、本発明に係る一実施形態の保護管吊下げ装置１００の作用効果について説明する。
【００５０】
本実施形態の保護管吊下げ装置１００によれば、保護管１２０外面に収容溝１２４であるガイド部が設けられていることにより、メッセンジャーワイヤ１１０を保護管１２０の周方向にずれることなく収容し、メッセンジャーワイヤ１１０への保護管１２０の添設がガイドされる。これにより、両者を互いに添設した状態に容易に移行可能であり、且つ、添設状態を維持することが容易となる。さらに、メッセンジャーワイヤ１１０に保護管１２０が添設された状態で、結合手段であるバンド体１３０によって、メッセンジャーワイヤ１１０と保護管１２０とを一体的に結合することが可能である。すなわち、保護管１２０及びメッセンジャーワイヤ１１０をそれぞれ別体として製造し、バンド体１３０によって両者を簡単に組み付けることが可能である。したがって、本実施形態の保護管吊下げ装置１００は、別体として製造された保護管１２０とメッセンジャーワイヤ１１０とを簡単に添設して両者を容易に一体化することが可能である。それ故、従来（特許文献１）の一体成形されてなる装置と比べて、その製造工程を簡素化するものである。
【００５１】
また、本実施形態の保護管吊下げ装置１００によれば、該バンド体１３０により、長尺方向のメッセンジャーワイヤ１１０及び保護管１２０の結合が必要な部分を選択して、メッセンジャーワイヤ１１０に保護管１２０を一体的に組み付けることが可能である。さらに、バンド体１３０を用いることにより、保護管１２０とメッセンジャーワイヤ１３０とを予めバンド体１３０で一体化した状態で張架すること、及び、予め張架したメッセンジャーワイヤ１１０に保護管１２０をバンド体１３０で組み付けることの両方の工程が選択可能となる。そして、バンド体１３０による結合位置を適宜選択することにより、張架されたメッセンジャーワイヤ１１０から保護管１３０の一部を分離することも容易となり、配管路を自在に選択することが可能となる。
【００５２】
さらに、従来（特許文献１）の自己支持型管（Ａ）では、コルゲートパイプ（１０）及びメッセンジャーワイヤ（１１）が外被（１２）の首部を介して結合されている。この首部を介して、コルゲートパイプ（１０）がメッセンジャーワイヤ（１１）に吊下げられているため、屋外に配設した際、風雨の影響を受けて大きく揺動することが課題として挙げられる。これに対し、本実施形態の保護管吊下げ装置１００によれば、ガイド部が保護管１２０外面に入れ子状に凹設されていることにより、メッセンジャーワイヤ１１０の一部が保護管１２０の管壁１２１内にめり込むように配置される。このように、設置時に両者が十分に近接しているので、屋外に配設した後、保護管１２０が風圧の影響を受けてメッセンジャーワイヤ１１０に対して大きく揺動することが抑えられる。
【００５３】
［第２実施形態］
図７乃至図１０を参照して、本発明の一実施形態である第２実施形態の保護管吊下げ装置２００を説明する。なお、本実施形態において、三桁で示される構成要素において下二桁が共通する構成要素は、説明がない限り、同一又は類似の特徴を有し、その説明を一部省略する。
【００５４】
保護管吊下げ装置２００は、図７及び図８に示すとおり、長尺方向に架設されるメッセンジャーワイヤ２１０と、該メッセンジャーワイヤ２１０に支持され、内部に配線・配管材（図示せず）が配設される保護管２２０と、該保護管２２０とメッセンジャーワイヤ２１０とを長尺方向に沿わせて一体的に結合する結合手段としてのバンド体２３０と、を備えてなる。そして、保護管２２０に形成されたガイド部（収容溝２２４）によってメッセンジャーワイヤ２１０に保護管２２０が直線状に添設されている。なお、第２実施形態のメッセンジャーワイヤ２１０及びバンド体２３０は、第１実施形態のメッセンジャーワイヤ１１０及びバンド体１３０と同一であり、保護管２２０のガイド部２２３の構成が第１実施形態のものと異なっている。
【００５５】
保護管２２０は、長尺方向に延びる可撓性の合成樹脂製の波付管である。すなわち、保護管２２０は、巻回又は屈曲自在な柔軟性を有している。図１０は、該保護管２２０の斜視図である。図１０に示すとおり、保護管２２０は、所定厚の管壁２２１を有し、該管壁２２１には山部２２２及び谷部２２３が交互に長尺方向に連続している。また、管壁２２１の外面には、ガイド部が形成されている。本実施形態では、ガイド部は、保護管２２０の長尺方向に沿って直線状に延在し、保護管２２０外面の周方向の一部に形成されている。図９に示すように、ガイド部は、管壁２２１を内外に貫通することなく、メッセンジャーワイヤ２１０を保護管２２０の周方向にずれることなく収容する所定幅の収容溝２２４を有する。該収容溝２２４は、長手方向に連続する各山部２２２の周方向の一部から突出する一対の突起２２４ａ間に定められている。より具体的には、突起２２４ａ間に半円弧状の凹曲面が形成され、ここにメッセンジャーワイヤ２１０外面の一部が収容される。つまり、本実施形態のガイド部は、保護管２２０外面から突出した位置に形成されている。そして、収容溝２２４の深さ（突起２２４ａの高さ）は、収容されたメッセンジャーワイヤ２１０が山部２２１外面から突出するように、メッセンジャーワイヤ２１０の径よりも小さく定められることが好ましい。
【００５６】
本実施形態の保護管吊下げ装置２００では、メッセンジャーワイヤ２１０によって支持された状態で、配線・配管材（図示せず）を内部に収容及び保護して配設するように、保護管２２０がメッセンジャーワイヤ２１０に対して、その長尺方向に沿って添設されている。このとき、保護管２２０に突設された突起２２４ａ間の収容溝２２４にメッセンジャーワイヤ２１０が収容されている。図９に示すように、収容溝２２４は、断面視略半円形状であり、メッセンジャーワイヤ２１０の断面の約半分が収容溝２２４内に配置されている。すなわち、ガイド部によってメッセンジャーワイヤ２１０及び保護管２２０の添設がガイドされることで、メッセンジャーワイヤ２１０及び保護管２２０がガイド部（収容溝２２４）を介して互いに当接した状態で長尺方向に延びている。図９（ａ）、（ｂ）に示すように、メッセンジャーワイヤ２１０外面が保護管２２０の管壁２２１外面に当接するように互いに位置しているため、両者は比較的近接している。これにより、屋外に配設した後、保護管２２０が風圧の影響を受けてメッセンジャーワイヤ２１０に対して揺動することが比較的抑えられる。さらに、図９（ｂ）によれば、添設状態でメッセンジャーワイヤ２１０外面が山部２２２外面に当接し、谷部２２３外面とメッセンジャーワイヤ２１０外面とが山部２２１の高さ分、離隔している。
【００５７】
そして、該保護管吊下げ装置２００では、互いに添設された状態のメッセンジャーワイヤ２１０及び保護管２２０が環状のバンド体２３０によって周方向に巻回されて固縛されている。バンド部２３１がメッセンジャーワイヤ２１０及び保護管２２０外周を完全に包囲し、締結部２３２によって堅く締結されている。図９（ａ）に示すように、バンド部２３１内面が保護管２２０の山部２２２外面及びメッセンジャーワイヤ２１０外面の両方に当接するように、バンド体２３０が両外面に沿って変形している。これにより、メッセンジャーワイヤ２１０が保護管２２０の周方向にずれることなく収容溝２２４に収容された状態で、メッセンジャーワイヤ２１０と保護管２２０が強固に結合される。さらには、メッセンジャーワイヤ２１０の該軸部２１１を被覆する軟質合成樹脂製の被覆部２１２を押し潰すようにして、バンド体２３０がメッセンジャーワイヤ２１０と保護管２２０とを固縛している。これにより、バンド体２３０が保護管２２０及びメッセンジャーワイヤ２１０の長尺方向にずれることが効果的に抑えられる。
【００５８】
なお、該保護管吊下げ装置２００を設置する方法は、第１実施形態とほぼ共通するため、その説明を省略する。
【００５９】
したがって、本実施形態の保護管吊下げ装置２００は、第１実施形態の保護管吊下げ装置１００と同様に、別体として製造された保護管２２０とメッセンジャーワイヤ２１０とを簡単に添設して両者を容易に一体化することが可能である。
【００６０】
［第３実施形態］
図１１乃至図１４を参照して、本発明の一実施形態である第３実施形態の保護管吊下げ装置３００を説明する。なお、本実施形態において、三桁で示される構成要素において下二桁が共通する構成要素は、説明がない限り、同一又は類似の特徴を有し、その説明を一部省略する。
【００６１】
保護管吊下げ装置３００は、図１１及び図１２に示すとおり、長尺方向に架設されるメッセンジャーワイヤ３１０と、該メッセンジャーワイヤ３１０に支持され、内部に配線・配管材（図示せず）が配設される保護管３２０と、該保護管３２０とメッセンジャーワイヤ３１０とを長尺方向に沿わせて一体的に結合する結合手段（接着部３３０）と、を備えてなる。そして、保護管３２０に形成されたガイド部（収容溝３２４）によってメッセンジャーワイヤ３１０に保護管３２０が直線状に添設されている。なお、第３実施形態のメッセンジャーワイヤ３１０及び保護管３２０は、第１実施形態のメッセンジャーワイヤ１１０及び保護管１２０と同一であり、結合手段に第１実施形態のようなバンド体１３０を採用していない。
【００６２】
本実施形態では、結合手段は、メッセンジャーワイヤ３１０がガイド部により保護管３２０に添設された状態で被覆部３１２と保護管３２０外面とを一体的に接着するように構成されている。該結合手段による「接着」は、接着剤による接着であり、結合手段として、例えば、塩化ビニル樹脂系、アクリル樹脂系、エポキシ樹脂系等の任意の接着剤を採用可能である。また、結合手段による「接着」は、熱融着による接着などであってもよい。
【００６３】
本実施形態の保護管吊下げ装置３００では、図１１に示すように、メッセンジャーワイヤ３１０によって支持された状態で、配線・配管材（図示せず）を内部に収容及び保護して配設するように、保護管３２０がメッセンジャーワイヤ３１０に対して、その長尺方向に沿って添設されている。このとき、保護管３２０に凹設されたガイド部の収容溝３２４にメッセンジャーワイヤ３１０が収容されている。図１３に示すように、収容溝３２４は、断面視略半円形状であり、メッセンジャーワイヤ３１０の断面の約半分が収容溝３２４内に配置されている。すなわち、ガイド部によってメッセンジャーワイヤ３１０及び保護管３２０の添設がガイドされることで、メッセンジャーワイヤ３１０及び保護管３２０がガイド部を介して互いに当接した状態で長尺方向に延びている。図１３（ａ）、（ｂ）に示すように、メッセンジャーワイヤ３１０の一部が保護管３２０の管壁３２１内にめり込んでいるように互いに位置しているため、両者が十分に近接している。これにより、屋外に配設した後、保護管３２０が風圧の影響を受けてメッセンジャーワイヤ３１０に対して揺動することが抑えられる。
【００６４】
そして、互いに添設された状態のメッセンジャーワイヤ３１０及び保護管３２０が結合手段による接着部３３０で結合されている。接着部３３０は、保護管３２０の収容溝３２４の凹曲面に形成され、保護管３２０の長尺方向全体に亘っている。そして、長尺方向全体において、合成樹脂製の保護管３２０外面とメッセンジャーワイヤ３１０の合成樹脂製の被覆部３１２外面とが接着している。より詳細には、図１３（ｂ）に示すように、メッセンジャーワイヤ３１０は、谷部３２３外面と被覆部３１２との間に隙間を形成するように、山部３２２外面に接着されている。つまり、メッセンジャーワイヤ３１０が波付管３２０の山部３２２外面に接着されていることにより、谷部３２３外面と被覆部３１２との間に隙間が形成され、結果として、保護管３２０又はメッセンジャーワイヤ３１０単体と比べて、保護管吊下げ装置３００全体の可撓性の低下が抑えられている。したがって、本実施形態の保護管吊下げ装置３００では、メッセンジャーワイヤ３１０が保護管３２０の周方向にずれることなく収容溝３２４に収容された状態で、全体としての可撓性の低下を抑えつつ、メッセンジャーワイヤ３１０と保護管３２０とが強固に結合されている。
【００６５】
また、保護管吊下げ装置３００では、メッセンジャーワイヤ３１０は、その被覆部３１２を切り裂いて鋼製の軸部３１１を被覆部３１２から引き出すための引出口３１３を形成可能とすべく、被覆部３１２の周方向の一部が保護管３２０外面に接着されている。すなわち、直線状に張設されたメッセンジャーワイヤ３２０に対して、保護管３２０を屈曲配設する場合、図１４に示すように、保護管３２０を屈曲させる箇所で被覆部３２２をカッター等で切り裂いて、部分的に軸部３２１と被覆部３２２とを分離可能とする。この状態で、保護管３２０をメッセンジャーワイヤ３１０から離隔する方向に動かすことで、被覆部３２２の切れ端が接着したままの保護管３２０を所望の方向に屈曲させることができる。よって、保護管３２０及びメッセンジャーワイヤ３１０が接着された箇所においても、被覆部３１２に切り裂き形成された引出口３１３を介して被覆部３１２と軸部３１１とを分離し、その結果、メッセンジャーワイヤ３１０から保護管３２０の一部を容易に分離することができる。あるいは、本実施形態では、長手方向全体に亘って接着部３３０が形成されているが、保護管３２０を屈曲配管する箇所で接着部３３０を形成しないことで、保護管３２０を屈曲配管させることも可能である。
【００６６】
次に、保護管吊下げ装置３００を設置して合成樹脂製の可撓性保護管３２０を吊下げ配管する方法について説明する。まず、それぞれ別体として製造されたメッセンジャーワイヤ３１０、保護管３２０及び結合手段（接着剤）を準備する。次いで、保護管３２０のガイド部である収容溝３２４表面に接着剤を塗布し、保護管３２０の収容溝３２４内にメッセンジャーワイヤ３１０を収容するように、長尺方向に沿って保護管３２０をメッセンジャーワイヤ３１０に添設する。接着部３３０が固化して両外面が接着するまで、添設状態のまま所定時間放置する。このとき、メッセンジャーワイヤ３１０が収容溝３２４に周方向にずれることなく収まるため、添設状態への移行及び添設状態の維持が容易である。そして、保護管３２０が添設したメッセンジャーワイヤ３１０の両端を電柱などの構造体に固定し、緊張状態で空中に架設する。こうして、保護管３２０がメッセンジャーワイヤ３１０によって空中に吊り下げ支持され、空中に配線・配管材の配設が可能となる。
【００６７】
ここで説明した方法は、一例にすぎず、当業者であれば、各工程の順序を入れ替え、又は、状況に応じて不要な工程を省略又は変更することも可能である。例えば、上記のとおり、予めメッセンジャーワイヤ３１０と保護管３２０とを接着して保護管吊下げ装置３００を構成した上で空中に配設することが施工安定性の上で好ましいが、メッセンジャーワイヤ３１０を構造物に張架した上で現場にて接着をおこなってもよい。
【００６８】
したがって、本実施形態の保護管吊下げ装置３００は、別体として製造された保護管３２０とメッセンジャーワイヤ３１０とを簡単に添設して両者を容易に一体化することが可能である。
【００６９】
［第４実施形態］
図１５乃至図１７を参照して、本発明の一実施形態である第４実施形態の保護管吊下げ装置４００を説明する。なお、本実施形態において、三桁で示される構成要素において下二桁が共通する構成要素は、説明がない限り、同一又は類似の特徴を有し、その説明を一部省略する。
【００７０】
保護管吊下げ装置４００は、図１５及び図１６に示すとおり、長尺方向に架設されるメッセンジャーワイヤ４１０と、該メッセンジャーワイヤ４１０に支持され、内部に配線・配管材（図示せず）が配設される保護管４２０と、該保護管４２０とメッセンジャーワイヤ４１０とを長尺方向に沿わせて一体的に結合する結合手段（接着部４３０）と、を備えてなる。そして、保護管４２０に形成されたガイド部（突条４２４）によってメッセンジャーワイヤ４１０に保護管４２０が直線状に添設されている。なお、第４実施形態のメッセンジャーワイヤ４１０及び結合手段（接着部４３０）は、第３実施形態のメッセンジャーワイヤ３１０及び接着部３３０と同一であるが、保護管４２０の形状が相違する。
【００７１】
保護管４２０は、長尺方向に延びる可撓性の合成樹脂製の波付管である。すなわち、保護管４２０は、巻回又は屈曲自在な柔軟性を有している。保護管４２０は、所定厚の管壁４２１を有し、該管壁４２１には山部４２２及び谷部４２３が交互に長尺方向に連続している。また、管壁４２１の外面には、ガイド部（突条４２４）が形成されている。本実施形態では、ガイド部は、保護管４２０の長尺方向に沿って直線状に延在し、保護管４２０外面の長尺方向の一部に形成されている。図１５に示すように、ガイド部は、長尺方向に形成された一列の突条４２４である。図示しないが、長尺方向に沿って複数の突条４２４が一直線上に断続的に形成されている。図１６に示すように、長手方向に連続する山部４２２外面から径方向外方に突起４２４ａが張り出し形成されている。これら連続する複数の突起４２４ａが協働して、長手方向に延在する突条４２４ａが形成されている。メッセンジャーワイヤ４１０が突条４２４に安定的に当接可能であるように、突条４２４の高さはメッセンジャーワイヤ４１０の径よりも大きいことが好ましい。
【００７２】
本実施形態の保護管吊下げ装置４００では、図１５に示すように、メッセンジャーワイヤ４１０によって支持された状態で、配線・配管材（図示せず）を内部に収容及び保護して配設するように、保護管４２０がメッセンジャーワイヤ４１０に対して、その長尺方向に沿って添設されている。このとき、保護管４２０に凸設されたガイド部としての複数の突条４２４にメッセンジャーワイヤ４１０が当接するように配置されている。すなわち、ガイド部（突条４２４）によってメッセンジャーワイヤ４１０及び保護管４２０の添設がガイドされることで、メッセンジャーワイヤ４１０及び保護管４２０がガイド部を介して互いに当接した状態で長尺方向に延びている。そして、互いに添設された状態のメッセンジャーワイヤ４１０及び保護管４２０が結合手段による接着部４３０で結合されている。接着部４３０は、突条４２４側面及び山部４２２外面の両方に形成されている。しかしながら、接着部４３０は、突条４２４側面及び山部４２２外面のいずれか一方に形成されてもよい。
【００７３】
図１７（ａ）、（ｂ）に示すように、メッセンジャーワイヤ４１０外面が保護管４２０の管壁４２１外面に当接するように互いに位置しているため、両者は比較的近接している。これにより、屋外に配設した後、保護管４２０が風圧の影響を受けてメッセンジャーワイヤ４１０に対して揺動することが比較的抑えられる。さらに、図１７（ｂ）によれば、メッセンジャーワイヤ４１０は、谷部４２３外面と被覆部４１２との間に隙間を形成するように、山部４２２外面に接着されている。つまり、メッセンジャーワイヤ４１０が波付管４２０の山部４２２外面に接着されていることにより、谷部４２３外面と被覆部４１２との間に隙間が形成され、結果として、保護管４２０又はメッセンジャーワイヤ４１０単体と比べて、保護管吊下げ装置４００全体の可撓性の低下が抑えられている。したがって、本実施形態の保護管吊下げ装置４００では、メッセンジャーワイヤ４１０が保護管４２０の周方向にずれることなくガイド部に収容された状態で、全体としての可撓性の低下を抑えつつ、メッセンジャーワイヤ４１０と保護管４２０とが強固に結合されている。
【００７４】
本実施形態の保護管吊下げ装置４００では、第３実施形態の保護管吊下げ装置３００と同様に、メッセンジャーワイヤ４１０は、その被覆部４１２を切り裂いて鋼製の軸部４１１を被覆部４１２から引き出すための引出口４１３を形成可能とすべく、被覆部４１２の周方向の一部が保護管４２０外面に接着されている。すなわち、保護管４２０及びメッセンジャーワイヤ４１０が接着された箇所においても、被覆部４１２に切り裂き形成された引出口４１３を介して被覆部４１２と軸部４１１とを分離し、その結果、メッセンジャーワイヤ４１０から保護管４２０の一部を容易に分離することができる。あるいは、保護管４２０を屈曲配管する箇所で接着部４３０を形成しないことで、保護管４２０を屈曲配管させることも可能である。
【００７５】
次に、保護管吊下げ装置４００を設置して合成樹脂製の可撓性保護管４２０を吊下げ配管する方法について説明する。まず、それぞれ別体として製造されたメッセンジャーワイヤ４１０、保護管４２０及び結合手段（接着剤）を準備する。次いで、保護管４２０の突条４２側面及び／又は該突条４２４に隣接する山部４２２外面に接着剤を塗布し、保護管４２０の１又は複数の突条４２４側面にメッセンジャーワイヤ４１０を宛がうように、長尺方向に沿って保護管４２０をメッセンジャーワイヤ４１０に添設する。接着部４３０が固化して両外面が接着するまで、添設状態のまま所定時間放置する。このとき、突条４２４により、メッセンジャーワイヤ４１０及び保護管４２０の周方向の一方への相対移動が規制されるため、添設状態への移行及び添設状態の維持が比較的容易である。そして、保護管４２０が添設されたメッセンジャーワイヤ４１０の両端を電柱などの構造体に固定し、緊張状態で空中に架設する。こうして、保護管４２０がメッセンジャーワイヤ４１０によって空中に吊り下げ支持され、空中に配線・配管材の配設が可能となる。なお、予め張設したメッセンジャーワイヤ４１０に保護管４２０を接着して空中に吊下げ支持してもよい。
【００７６】
したがって、本実施形態の保護管吊下げ装置４００は、別体として製造された保護管４２０とメッセンジャーワイヤ４１０とを簡単に添設して両者を容易に一体化することが可能である。
【００７７】
なお、本発明の第３及び第４実施形態の方法は、以下のように表すことも可能である。
内部に配線・配管材が配設される、可撓性を有する合成樹脂製の保護管の吊下げ配管方法であって、長尺のメッセンジャーワイヤ、及び、前記メッセンジャーワイヤに対する添設をガイドするためのガイド部が外面に形成されている保護管を別体として準備する工程と、
前記ガイド部を介して前記保護管を前記メッセンジャーワイヤに添設した状態で、前記保護管と前記メッセンジャーワイヤと接着して一体的に結合する工程と、
前記接着する工程の前又は後で、前記保護管を空中に吊り下げ支持させるべく、前記メッセンジャーワイヤを緊張させて長尺方向に架設する工程と、
を含むことを特徴とする方法。
【００７８】
［変形例］
本発明は、上記実施形態に限定されず、種々の変形例を取り得る。以下、本発明の変形例を説明する。なお、各変形例において、三桁で示される構成要素において下二桁が共通する構成要素は、特定がない限り、同一又は類似の特徴を有し、その説明を一部省略する。
【００７９】
（１）本発明の保護管のガイド部は、保護管及びメッセンジャーワイヤの添設をガイド可能であれば、以下に例示するように種々の形状に変形可能である。
【００８０】
図１８は、本発明の変形例の保護管５２０を示している。保護管５２０は、山部５２２及び谷部５２３が交互に長尺方向に連続する所定厚の管壁５２１と、管壁５２１の外面に形成されたガイド部（収容溝５２４）とを備える。当該ガイド部において、山部５２２外面から径方向外方に第１の突起５２４ａが張り出している。そして、これに隣接する山部５２２において、第１の突起５２４ａから周方向に所定距離ずれた位置で、山部５２２外面から径方向外方に第２の突起５２４ｂが張り出している。第１の突起５２４ａ及び第２の突起５２４ｂが交互に連続することにより、周方向における第１の突起５２４ａ及び第２の突起５２４ｂ間に、メッセンジャーワイヤを収容するための長尺方向に直線状に延びる収容溝（又は収容路）５２４が定められる。つまり、対となる第１及び第２突起５２４ａ，５２４ｂが同じ山部５２２になくてもよい。メッセンジャーワイヤが収容溝５２４に収容されることで、保護管５２０が直線状に案内されて、メッセンジャーワイヤ及び保護管５２０の周方向の相対移動が規制されることで、保護管５２０及びメッセンジャーワイヤの結合（添設）がガイドされる。当該ガイド部を介してメッセンジャーワイヤに保護管５２０を添設した状態で、バンド体又は接着による結合手段によって、両者を一体的に結合可能である。
【００８１】
図１９は、本発明の変形例の保護管６２０を示している。保護管６２０は、山部６２２及び谷部６２３が交互に長尺方向に連続する所定厚の管壁６２１と、管壁６２１外面に形成されたガイド部（平面路６２４）とを備える。当該ガイド部において、長尺方向に連続する各山部６２２の外面には、平面状の外面を有する矩形体６２４ａが突設されている。そして、複数の矩形体６２４ａが直線上に長尺方向に沿って整列することにより、ガイド部として長尺方向に直線状に延びる平面路６２４が定められる。メッセンジャーワイヤが平面路６２４に宛がわれることで、保護管６２０及びメッセンジャーワイヤの結合（添設）がガイドされる。当該ガイド部によってメッセンジャーワイヤに保護管６２０を添設した状態で、バンド体又は接着による結合手段によって、両者を一体的に結合可能である。なお、本変形例のガイド部は、他の形態と異なり、メッセンジャーワイヤ及び保護管の周方向の相対移動を規制するのでなく、その添設位置を主に案内（位置決め）するように機能する。
【００８２】
図２０は、本発明の保護管７２０を示している。保護管７２０は、山部７２２及び谷部７２３が交互に長尺方向に連続する所定厚の管壁７２１と、管壁７２１外面に形成されたガイド部（平面路７２４）とを備える。当該ガイド部において、長尺方向に連続する各山部７２２の外面が切り欠かれ、矩形面７２４ａが形成されている。そして、複数の矩形面７２４ａが直線上に長尺方向に沿って整列することにより、ガイド部として長尺方向に直線状に延びる平面路７２４が定められる。上記保護管６２０と同様に、メッセンジャーワイヤが平面路７２４に宛がわれることで、保護管７２０及びメッセンジャーワイヤの結合（添設）がガイドされる。当該ガイド部によってメッセンジャーワイヤに保護管７２０を添設した状態で、バンド体又は接着による結合手段によって、両者を一体的に結合可能である。なお、本変形例のガイド部は、保護管６２０と同様に、メッセンジャーワイヤ及び保護管の周方向の相対移動を規制するのでなく、その添設位置を主に案内（位置決め）するように機能する。
【００８３】
図示しないが、ガイド部は、上述したような凹部、段部、溝部、平坦部の他に目印や刻印などであってもよく、保護管をメッセンジャーワイヤに沿って直線状に案内及び規制することの少なくとも一方ができればよい。
【００８４】
（２）上記実施形態では、保護管は波付管であるが、本発明はこれに限定されない。すなわち、本発明の保護管は、波無し可撓管をも含む概念である。そして、波無しの可撓管であっても、ガイド部を形成することにより、本発明の課題を解決可能であることは言うまでもない。
【００８５】
（３）上記実施形態では、メッセンジャーワイヤは、鋼製の芯部と合成樹脂製の被覆部とからなるが、本発明はこれに限定されない。例えば、メッセンジャーワイヤは鋼製の芯部のみから構成され、又は、ナイロン等の高強度の合成繊維からなる芯部のみから構成されてもよい。
【００８６】
（４）上記実施形態の保護管吊下げ装置では、ガイド部が保護管の山部に形成されているが、山部でなく谷部に形成された突起であってもよい。あるいは、山部及び谷部の両方に形成されてもよい。さらには、波付管でない場合、ガイド部は、平滑な表面に形成された凹部、段部、溝部、平坦部、目印、刻印等であってもよい。
【００８７】
（５）上記実施形態の保護管吊下げ装置では、バンド体又は接着による結合手段が用いられているが、１つの保護管吊下げ装置において、複数種類の結合手段を同時に用いてもよい。
【００８８】
（６）本発明の保護管の吊下げ配管方法においては、先にワイヤーを架設した後に、バンド体で巻回する場合には、ガイド部がなくとも、ワイヤーに沿わせるだけで、ワイヤーと保護管を直線状に一体化することができる。ただし、実施例にあるように凹溝や突条部からなるガイド部が存在することで、凹溝や突条部に宛がった状態で巻回できて、作業性が良く、巻回後にずれることがない。
【００８９】
本発明は上述した実施形態や変形例に限定されるものではなく、本発明の技術的範囲に属する限りにおいて種々の態様で実施しうるものである。
【符号の説明】
【００９０】
１００      保護管吊下げ装置（第１実施形態）
１１０      メッセンジャーワイヤ
１１１      軸部
１１２      被覆部
１２０      保護管
１２１      管壁
１２２      山部
１２３      谷部
１２４      収容溝（ガイド部）
１２４ａ    切り欠き
１３０      バンド体（結合手段）
１３１      バンド部
１３２      締結部
２００      保護管吊下げ装置（第２実施形態）
２２４      収容溝（ガイド部）
２２４ａ    突起
３００      保護管吊下げ装置（第３実施形態）
３３０      接着部（結合手段）
３１３      引出口
４００      保護管吊下げ装置（第４実施形態）
４２４      突条（ガイド部）
４２４ａ    突起
４３０      接着部（結合手段）
５００〜７００  保護管吊下げ装置（変形例）
【図１】
0006475588.tif 000002
【図２】
0006475588.tif 000003
【図３】
0006475588.tif 000004
【図４】
0006475588.tif 000005
【図５】
0006475588.tif 000006
【図６】
0006475588.tif 000007
【図７】
0006475588.tif 000008
【図８】
0006475588.tif 000009
【図９】
0006475588.tif 000010
【図１０】
0006475588.tif 000011
【図１１】
0006475588.tif 000012
【図１２】
0006475588.tif 000013
【図１３】
0006475588.tif 000014
【図１４】
0006475588.tif 000015
【図１５】
0006475588.tif 000016
【図１６】
0006475588.tif 000017
【図１７】
0006475588.tif 000018
【図１８】
0006475588.tif 000019
【図１９】
0006475588.tif 000020
【図２０】
0006475588.tif 000021